(57)【要約】【課題】  予め設定が必要な情報の情報量を問わず外部の通信装置に処理を実行させることが可能な携帯通信装置を提供する。【解決手段】  携帯通信装置は，所定処理のコマンドの実行に必要なパラメータとして第１の処理情報又は第２の処理情報のうち少なくとも一方を設定する処理情報設定部２０３と，第１の処理情報を記憶する第１の記憶部１３１と，第２の処理情報を記憶する第２の記憶部３１３と，所定処理を実行する指示を入力部が受付けると，所定処理のコマンドを順に取得し，その受付けられた指示に対応する処理情報を第１の記憶部及び／又は第２の記憶部から取得する情報取得部２０５と，情報取得部により取得されたコマンドに，入力部が受付けた指示に対応する第１の処理情報及び／又は第２の処理情報を付与して，外部の通信装置との間で近距離の非接触無線通信により，外部の通信装置に送信する非接触通信部とを備える。【選択図】    図１
2007135054.tif 000002
【特許請求の範囲】
【請求項１】
外部の通信装置に所定の処理を実行させる携帯通信装置であって：
前記所定の処理に構成された１又は２以上のコマンドの実行に必要なパラメータとして第１の処理情報又は第２の処理情報のうち少なくとも一方を設定する処理情報設定部と；
前記処理情報設定部により設定された前記第１の処理情報を記憶する第１の記憶部と；
前記処理情報設定部により設定された前記第２の処理情報を記憶する第２の記憶部と；
前記所定の処理を実行する指示を入力部が受付けると，該所定の処理を構成する１又は２以上のコマンドを順に取得し，その受付けられた指示に対応する処理情報を前記第１の記憶部及び／又は前記第２の記憶部から取得する情報取得部と；
前記情報取得部により取得されたコマンドに，前記入力部により受付けられた指示に対応する前記第１の処理情報及び／又は第２の処理情報を付与して，前記外部の通信装置との間で近距離の非接触無線通信により，該外部の通信装置に送信する非接触通信部と；
を備えることを特徴とする，携帯通信装置。
【請求項２】
前記情報取得部及び／又は情報設定部の起動命令があり，かつ，前記携帯通信装置内に前記情報取得部及び／又は情報設定部が備わっていない場合，新規に情報取得部及び／又は情報設定部が該携帯通信装置に転送され，その情報取得部及び／又は情報設定部が起動し，さらに該情報設定部が第１の処理情報と第２の処理情報とを設定することを特徴とする，請求項１に記載の携帯通信装置。
【請求項３】
前記第２の記憶部は，耐タンパ性を具備する記憶部であって，
前記第２の処理情報は，機密性を有する情報であることを特徴とする，請求項１に記載の携帯通信装置。
【請求項４】
前記携帯通信装置は，表示部をさらに備え，
前記表示部は，前記外部の通信装置からの問合せ内容を画面上に表示することを特徴とする，請求項１に記載の携帯通信装置。
【請求項５】
前記非接触通信部が前記コマンドと，そのコマンドに付与された前記第１の処理情報及び／又は第２の処理情報とを送信した後，前記非接触通信部が前記外部の通信装置から前記入力部で受付けられた所定の処理の実行内容を示す情報を受信すると；
前記表示部は前記所定の処理の実行内容を画面上に表示するとともに，前記入力部は該所定の処理の実行について確認を受付けることを特徴とする，請求項４に記載の携帯通信装置。
【請求項６】
前記処理情報設定部は，前記所定の処理の実行に必要な第１の処理情報と第２の処理情報とを一組として，複数組の第１の処理情報と第２の処理情報とを設定し；
前記複数組の第１の処理情報と第２の処理情報とは，前記第１の記憶部と第２の記憶部各々に記憶されることを特徴とする，請求項１に記載の携帯通信装置。
【請求項７】
外部の通信装置に所定の処理を実行させるための携帯通信装置による情報処理方法であって：
前記所定の処理に構成された１又は２以上のコマンドの実行に必要なパラメータとして第１の処理情報又は第２の処理情報のうち少なくとも一方を設定する処理情報設定ステップと；
前記処理情報設定ステップで設定された前記第１の処理情報又は第２の処理情報のうち少なくとも一方を，第１の記憶部又は第２の記憶部に格納する処理情報格納ステップと； 
前記所定の処理を実行する指示を受付ける指示受付ステップと；
前記所定の処理を実行する指示を受付けると，該所定の処理を構成する１又は２以上のコマンドを順に取得し，その受付けられた指示に対応する処理情報を前記第１の記憶部及び／又は前記第２の記憶部から取得する情報取得ステップと；
前記情報取得ステップで取得したコマンドに，前記指示受付ステップで受付けた指示に対応する前記第１の処理情報及び／又は第２の処理情報を付与して，前記外部の通信装置との間で近距離の非接触無線通信により，該外部の通信装置に送信する送信ステップと；
を含むことを特徴とする，情報処理方法。
【請求項８】
コンピュータをして，外部の通信装置に所定の処理を実行させるための携帯通信装置として機能させるコンピュータプログラムであって：
前記所定の処理に構成された１又は２以上のコマンドの実行に必要なパラメータとして第１の処理情報又は第２の処理情報のうち少なくとも一方を設定する処理情報設定ステップと；
前記処理情報設定ステップで設定された前記第１の処理情報又は第２の処理情報のうち少なくとも一方を，第１の記憶部又は第２の記憶部に格納する処理情報格納ステップと； 
前記所定の処理を実行する指示を受付ける指示受付ステップと；
前記所定の処理を実行する指示を受付けると，該所定の処理を構成する１又は２以上のコマンドを順に取得し，その受付けられた指示に対応する処理情報を前記第１の記憶部及び／又は前記第２の記憶部から取得する情報取得ステップと；
前記情報取得ステップで取得したコマンドに，前記指示受付ステップで受付けた指示に対応する前記第１の処理情報及び／又は第２の処理情報を付与して，前記外部の通信装置との間で近距離の非接触無線通信により，該外部の通信装置に送信する送信ステップと；
を備えることを特徴とする，コンピュータプログラム。
【発明の詳細な説明】
【技術分野】
【０００１】
本発明は，近距離での非接触通信にかかり，特に非接触通信により外部の通信装置に所定の処理を実行させることが可能な携帯通信装置，情報処理方法，コンピュータプログラムに関する。
【背景技術】
【０００２】
情報技術の発達に伴い，現在では近接又は近距離で無線通信可能な非接触型ＩＣカードなどを利用して，例えば，駅の改札口に設けられた自動改札機を開閉させて利用者は改札口を出入りすることが可能となっている。
【０００３】
上記自動改札システム等のシステムでは，リーダ／ライタ（Ｒ／Ｗ）と非接触型ＩＣカードとが相互認証を行い，非接触型ＩＣカード内のセキュアな記憶領域に格納された定期券等の車券情報を基にして自動改札機を開閉している。
【０００４】
非接触型ＩＣカードの技術開発は著しく，セキュリティ上，データ処理時間が短時間である等の点で優れ，非接触型ＩＣカードは，現在では交通機関の入場システムや，出退勤システムなど広範囲に活用されている。
【０００５】
さらに，現在では，かかる非接触型ＩＣカードをチップ化した複数の半導体素子を有する非接触型ＩＣチップを携帯電話機に内蔵させて，非接触型ＩＣカードと同様，その携帯電話機で自動改札機を開閉させることが可能となっている。
【０００６】
一方で，口座から現金を引き出したり，現金を振り込んだりする場合，金融機関等に設けられたＡＴＭ（Ａｕｔｏｍａｔｅｄ−Ｔｅｌｌｅｒ  Ｍａｃｈｉｎｅ）と各自のキャッシュカードを利用して行われることが一般的である。
【０００７】
ＡＴＭを利用する場合，利用者による暗証番号や金額の入力操作が必要なため，混雑する時間帯や，入力操作ミスで入力操作が繰り返し行われる等の理由で，長蛇の列ができ，ＡＴＭを利用する利用者の利便性が損なわれていた。
【０００８】
かかる問題を解決するために，上記入力操作で必要な暗証番号等の情報を予め携帯電話を用いて入力し，携帯電話に内蔵された非接触型ＩＣチップに記憶することで，ＡＴＭを利用する際に非接触型ＩＣチップから暗証番号等の情報をＡＴＭに転送し，入力操作を省略できるシステムが存在する（例えば，特許文献１，参照。）。当該特許文献１に記載の従来技術では，携帯電話からＡＴＭに情報を一方的に送信することで，ＡＴＭに対して必要な入力操作を省略していた。
【０００９】
【特許文献１】特開２００１−２９７１９８号公報
【発明の開示】
【発明が解決しようとする課題】
【００１０】
しかしながら，機器間で双方向に情報のやりとりを行うことは，コマンドの受け渡し，送受信のタイミング等を揃える必要があるため，例えば，携帯電話とＡＴＭとの間で，振込みの際の振込先，振込金額，振込みとともに送るメッセージ，または振込み前にこれらの確認を行うこと等は，上記特許文献１に係る携帯電話からＡＴＭに情報を一方的に送信するシステムでは，容易ではなかった。
【００１１】
さらに，例えば，引き出し処理を複数件，振込み処理を複数件などのように，複数件の処理各々について，暗証番号や金額などの情報全てを予め非接触型ＩＣチップに設定して記憶しておくことができない場合があった。
【００１２】
また，上記金融機関に関する処理に限らず，ファーストフードやレストラン等の飲食店における注文の受付及び決済，映画館の入場券売り場における注文の受付及び決済など，上記ＡＴＭが実行する処理に限らず様々な場面で使用可能な，上記非接触型ＩＣチップを搭載した通信装置の開発が望まれている。
【００１３】
本発明は，上記問題点に鑑みてなされたものであり，本発明の目的は，外部の通信装置と双方向に情報をやりとりし，外部の通信装置に処理を実行させることが可能な，新規かつ改良された携帯通信装置，情報処理方法，およびコンピュータプログラムを提供することである。
【課題を解決するための手段】
【００１４】
上記課題を解決するため，本発明の第１の観点によれば，外部の通信装置に所定の処理を実行させる携帯通信装置が提供される。上記携帯通信装置は，上記所定の処理に構成された１又は２以上のコマンドの実行に必要なパラメータとして第１の処理情報又は第２の処理情報のうち少なくとも一方を設定する処理情報設定部と；上記処理情報設定部により設定された上記第１の処理情報を記憶する第１の記憶部と；上記処理情報設定部により設定された上記第２の処理情報を記憶する第２の記憶部と；上記所定の処理を実行する指示を入力部が受付けると，該所定の処理を構成する１又は２以上のコマンドを順に取得し，その受付けられた指示に対応する処理情報を上記第１の記憶部及び／又は上記第２の記憶部から取得する情報取得部と；上記情報取得部により取得されたコマンドに，上記入力部により受付けられた指示に対応する上記第１の処理情報及び／又は第２の処理情報を付与して，上記外部の通信装置との間で近距離の非接触無線通信により，該外部の通信装置に送信する非接触通信部とを備えることを特徴としている。なお，上記処理情報設定部は，例えば，上記第１の処理情報又は第２の処理情報のうち少なくとも一方を別個又は同時に設定することができるが，かかる例に限定されない。また，上記所定の処理の実行に必要な処理情報は，１又は２個以上の第１の処理情報及び／又は１又は２個以上の第２の処理情報である。
【００１５】
上記情報取得部及び／又は情報設定部の起動命令があり，かつ，上記携帯通信装置内に上記情報取得部及び／又は情報設定部が備わっていない場合，新規に情報取得部及び／又は情報設定部が該携帯通信装置に転送され，その情報取得部及び／又は情報設定部が起動し，さらに該情報設定部が第１の処理情報と第２の処理情報とを設定するように構成してもよい。なお，上記起動命令は，例えば，上記外部の通信装置からの起動命令，又は，携帯通信装置自身からの起動命令があるが，かかる例に限定されない。
【００１６】
上記第２の記憶部は，耐タンパ性を具備する記憶部であって，上記第２の処理情報は，機密性を有する情報であるようにしてもよい。
【００１７】
上記携帯通信装置は，表示部をさらに備え，上記表示部は，上記外部の通信装置からの問合せ内容を画面上に表示するように構成してもよい。かかる構成により，表示部による画面表示の際に，入力部が利用者から所定の処理の実行の確認を受付けると，外部の通信装置に所定の処理の実行を許可する指示を送信する。したがって，外部の通信装置が実行する所定の処理は，利用者からの確認を受付けてから処理を進めるため，柔軟に円滑に処理を進めることができる。
【００１８】
上記非接触通信部が上記コマンドと，そのコマンドに付与された上記第１の処理情報及び／又は第２の処理情報とを送信した後，上記非接触通信部が上記外部の通信装置から上記入力部で受付けられた所定の処理の実行内容を示す情報を受信すると；上記表示部は上記所定の処理の実行内容を画面上に表示するとともに，上記入力部は該所定の処理の実行について確認を受付けるように構成してもよい。
【００１９】
上記情報取得部は上記第１の処理情報と上記第２の処理情報とを別々に取得し，上記非接触通信部は，該第１の処理情報と第２の処理情報とを互いに異なる通信方式で上記外部の通信装置に送信してもよい。
【００２０】
上記処理情報設定部は，上記所定の処理の実行に必要な第１の処理情報と第２の処理情報とを一組として，複数組の第１の処理情報と第２の処理情報とを設定し；上記複数組の第１の処理情報と第２の処理情報とは，上記第１の記憶部と第２の記憶部各々に記憶されるように構成してもよい。
【００２１】
また，上記課題を解決するために，本発明の別の観点によれば，外部の通信装置に所定の処理を実行させるための携帯通信装置による情報処理方法が提供される。上記情報処理方法は，上記所定の処理に構成された１又は２以上のコマンドの実行に必要なパラメータとして第１の処理情報又は第２の処理情報のうち少なくとも一方を設定する処理情報設定ステップと；上記処理情報設定ステップで設定された上記第１の処理情報又は第２の処理情報のうち少なくとも一方を，第１の記憶部又は第２の記憶部に格納する処理情報格納ステップと；上記所定の処理を実行する指示を受付ける指示受付ステップと；上記所定の処理を実行する指示を受付けると，該所定の処理を構成する１又は２以上のコマンドを順に取得し，その受付けられた指示に対応する処理情報を上記第１の記憶部及び／又は上記第２の記憶部から取得する情報取得ステップと；上記情報取得ステップで取得したコマンドに，上記指示受付ステップで受付けた指示に対応する上記第１の処理情報及び／又は第２の処理情報を付与して，上記外部の通信装置との間で近距離の非接触無線通信により，該外部の通信装置に送信する送信ステップとを含むことを特徴としている。
【００２２】
また，上記課題を解決するために，本発明の別の観点によれば，コンピュータをして，外部の通信装置に所定の処理を実行させるための携帯通信装置として機能させるコンピュータプログラムが提供される。上記コンピュータプログラムは，上記所定の処理に構成された１又は２以上のコマンドの実行に必要なパラメータとして第１の処理情報又は第２の処理情報のうち少なくとも一方を設定する処理情報設定ステップと；上記処理情報設定ステップで設定された上記第１の処理情報又は第２の処理情報のうち少なくとも一方を，第１の記憶部又は第２の記憶部に格納する処理情報格納ステップと；上記所定の処理を実行する指示を受付ける指示受付ステップと；上記所定の処理を実行する指示を受付けると，該所定の処理を構成する１又は２以上のコマンドを順に取得し，その受付けられた指示に対応する処理情報を上記第１の記憶部及び／又は上記第２の記憶部から取得する情報取得ステップと；上記情報取得ステップで取得したコマンドに，上記指示受付ステップで受付けた指示に対応する上記第１の処理情報及び／又は第２の処理情報を付与して，上記外部の通信装置との間で近距離の非接触無線通信により，該外部の通信装置に送信する送信ステップとを備えることを特徴としている。
【発明の効果】
【００２３】
以上説明したように，本発明によれば，様々な場面で携帯通信装置と外部の通信装置と双方向に情報をやりとりし，外部の通信装置に対して処理をより一層円滑に実行させることができる。
【発明を実施するための最良の形態】
【００２４】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２５】
（データ通信システムについて）
まず，図１を参照しながら，第１の実施の形態にかかるデータ通信システム１００について説明する。図１は，第１の実施の形態にかかるデータ通信システム及び携帯通信装置の概略の一例を示す説明図である。
【００２６】
図１に示すように，データ通信システム１００には，携帯通信装置１０１と，リーダ／ライタ（Ｒ／Ｗ）１０５と，ＡＴＭ（ａｕｔｏｍａｔｅｄ  ｔｅｌｌｅｒ  ｍａｃｈｉｎｅ）１０６とが備えられている。なお，図１に示す携帯通信装置１０１の近距離の無線通信相手となるリーダ／ライタ１０５及びＡＴＭ１０６を総称して外部通信装置と記載する場合がある。
【００２７】
なお，図１に示すように，第１の実施の形態にかかるデータ通信システム１００には，携帯通信装置１０１，リーダ／ライタ１０５，およびＡＴＭ１０６が各１台ずつ備わる場合を例に挙げて説明するが，かかる例に限定されず，例えば，データ通信システム１００には，複数台の携帯通信装置１０１（１０１ａ，１０１ｂ，…１０１ｎ），複数台のリーダ／ライタ１０５（１０５ａ，１０５ｂ，…１０５ｎ），およびＡＴＭ１０６（１０６ａ，１０６ｂ，…１０６ｎ）が備わる場合でも実施可能である。
【００２８】
図１に示すデータ通信システム１００は，事前に携帯通信装置１０１に利用者が設定し記憶させておいた処理情報等を基にして，ＡＴＭ１０６が所定の処理を実行するシステムである。
【００２９】
より具体的には，上記携帯通信装置１０１は，所定の処理の実行を利用者から受け付けると，その所定の処理の実行に必要な１又は２以上のコマンドや，そのコマンドに対応する処理情報などをリーダ／ライタ１０５に非接触無線通信で転送する。ＡＴＭ１０６は上記コマンドと処理情報をリーダ／ライタ１０５から受け取ることにより，上記所定の処理を実行することができる。なお，上記処理情報は，例えば，コマンドを実行するために必要な属性情報又はパラメータであるが，かかる例に限定されない。
【００３０】
なお，第１の実施の形態にかかる所定の処理には，例えば，預金の引き出し処理，現金の預け入れ処理，振込処理，振替処理，または残高照会処理等を例に挙げることができるが，ＡＴＭ１０６が実行可能な処理であれば，かかる例に限定されず，如何なる処理でも実行可能である。
【００３１】
携帯通信装置１０１は，例えば，外部通信装置から近距離（例えば，０〜１０ｃｍ程度）の範囲内（通信範囲）であれば非接触で無線通信可能な端末であるとともに，アンテナ１０２と基地局（図示せず）を介した通話機能や，アンテナ１０２と基地局とパケット通信網とを介してネット上のサーバ等の装置にアクセスすることが可能な携帯電話機であるが，かかる例に限定されず，携帯通信装置１０１は，近距離の非接触通信が可能であれば，かかる例に限定されず，ＩＣカード，ＰＤＡ（Ｐｅｒｓｏｎａｌ  Ｄｉｇｉｔａｌ  Ａｓｓｉｓｔａｎｔ），または携帯音楽再生装置など如何なる装置の場合でもよい。
【００３２】
上記アクセスは，例えば，システムの利用，サーバ又はその他の装置への接続，データの参照，データの保存，データの削除，またはデータの変更など，無線又は有線を介して，情報を処理する情報処理を総称していう。
【００３３】
上記ＡＴＭ１０６には，例えば，制御部と，ディスプレイ等の表示部と，タッチパネル等の入力部と，ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリと，通信網を介してホストにアクセスする通信部と，キャッシュカードに記憶された情報を読み取るカードリーダと，現金を出し入れする現金出入部とが備わっている。
【００３４】
なお，上記リーダ／ライタ１０５又はＡＴＭ１０６と上記携帯通信装置１０１とは，双方間でデータ通信する際に，相互認証するための認証鍵を保有してもよい。なお，かかる認証鍵は，機密性が極めて高い秘密情報であるため，耐タンパ性等を具備するメモリ等に格納される。
【００３５】
また，かかる認証鍵は，ＲＳＡ等の非対称鍵や，ＤＥＳ又はＡＥＳ等の対称鍵などの如何なる鍵の場合であっても実施可能である。なお，対称鍵の場合，秘密裏に鍵を配布しメモリ等に格納する必要があるため通信網から転送するのではなく書留郵送等の手段で配布される。
【００３６】
なお，図１に示すように，第１の実施の形態にかかるリーダ／ライタ１０５は，例えば，ＡＴＭ１０６にケーブルで外部接続された場合を例に挙げて説明するが，かかる例に限定されず，例えば，リーダ／ライタ１０５は，ＡＴＭ１０６の機器内に内蔵される場合などでもよい。
【００３７】
（携帯通信装置１０１について）
次に，図１〜図３を参照しながら，第１の実施の形態にかかる携帯通信装置１０１について説明する。なお，図２は，第１の実施の形態にかかる記憶部１３１の概略的な構成を示すブロック図であり，図３は，第１の実施の形態にかかるＩＣ記憶部３１３の概略的な構成を示すブロック図である。
【００３８】
図１に示すように，携帯通信装置１０１は，アンテナ１０２と，記憶部（第１の記憶部）１３１と，制御部１３３と，非接触型ＩＣチップ１３５と，表示部１３７と，入力部１３９とを備えている。
【００３９】
さらに，上記非接触型ＩＣチップ１３５は，アンテナ３０１と，同調部３０３と，変復調部３０５と，ＩＣ制御部３０７と，ＩＣ記憶部（第２の記憶部）３１３とを備えている。
【００４０】
上記記憶部１３１は，例えば，ＲＡＭ，ＲＯＭ，またはＥＥＰＲＯＭのうち少なくとも一つからなる記憶手段であって，詳細は後述するが，所定の処理の実行に必要なノンセキュアな処理情報（第１の処理情報）などを記憶する。
【００４１】
上記制御部１３３は，例えば，ＣＰＵ等に相当し，携帯通信装置１０１に備わる各部が実行する処理を制御する。また，制御部１３３は，アンテナ１０２と基地局を介して通話又はデータ通信する機能を具備する携帯電話回路（図示せず。）が実行する処理を制御する。
【００４２】
上記表示部１３７は，記憶部１３１にインストールされたアプリケーションが取得したＡＴＭ１０６の実行結果等を画面上に表示する。なお，表示部１３７は，例えば，液晶ディスプレイなどを例示することができ，モノクロ又はカラーの静止画像のほか，動画像などを出力することも可能であり，さらにスピーカを備えて音声を出力することも可能である。
【００４３】
上記入力部１３９は，例えば，利用者から操作指示を受けることが可能なトラックボール，トラックパッド，またはジョイスティックなどのポインティングデバイスと，当該ポインティングデバイスが操作されることにより生成された入力信号を制御部１３３に出力する回路などを備えている。
【００４４】
なお，上記入力部１３９は，かかる例に限定されず，例えば，ボタン，スイッチ，またはレバー等の入力操作手段と上記ポインティングデバイスとを備えている場合でも，上記入力操作手段のみを備えている場合でもよい。
【００４５】
携帯通信装置１０１の利用者は，この入力部１３９を操作することにより，携帯通信装置１０１に対して所定の処理に必要な処理情報を入力及び設定したり，所定の処理を実行するよう指示したりすることができる。
【００４６】
上記非接触型ＩＣチップ１３５に備わるＩＣ記憶部３１３が記憶するデータは，貨幣価値など所定の価値を有する情報あって，例えば，電子マネー，ポイント情報，クーポン情報（又は，クーポン残高情報）等のセキュアなデータを例示することができる。
【００４７】
なお，上記電子マネー，ポイント情報，またはクーポン情報を，電子的価値情報又は単に価値情報と記載する場合がある。また，貨幣の入金（チャージ）によって，ＩＣ記憶部３１３が保有する電子マネーの残高を加算することができる。
【００４８】
携帯通信装置１０１に備わる制御部１３３は，例えば，処理を実行する指示が利用者からあると，ブラウジング機能などを有するアプリケーションプログラムを記憶部１３１から読み出して起動させることで，当該処理の実行に必要なコマンドと予め格納された処理情報とをリーダ／ライタ１０５を介してＡＴＭ１０６に転送して，ＡＴＭ１０６に処理を実行させることができる。
【００４９】
なお，利用者が処理の実行を携帯通信装置１０１に指示した後，上記コマンドや処理情報をＡＴＭ１０６に転送するために，例えば，利用者は，手持ちの携帯通信装置１０１をリーダ／ライタ１０５にかざすことが必要であるが，かかる例に限定されず，例えば，利用者は，携帯通信装置１０１をリーダ／ライタ１０５に載置する場合等でもよい。
【００５０】
図１に示すアンテナ３０１は，例えば，閉ループのコイル等を構成し，上記コイルに流れる電流が変化することで，電磁波を出力する。また，アンテナ３０１としてのコイルを通る磁束が変化することで，アンテナ３０１に電流が流れる。
【００５１】
なお，第１の実施の形態にかかるアンテナ３０１は，例えば，外部のリーダ／ライタ１０５等からアクセスを受けて自己のデータを外部に転送する目的に用いられるが，かかる例に限定されない。
【００５２】
また，図１に示す同調部３０３は，アンテナ３０１に流れる電流を受信し，例えば，同調又は検波等を行い，変復調部３０５に出力する。
【００５３】
また，第１の実施の形態にかかるアンテナ３０１，同調部３０３，および変復調部３０５は，非接触通信でデータを送受信する狭義の非接触通信部であり，さらに第１の実施の形態にかかる非接触型ＩＣチップ１３５は，非接触通信でデータを送受信する広義の非接触通信部である。
【００５４】
なお，同調部３０３が同調又はフィルタリングする周波数は，記憶部３１３に格納された価値情報や処理情報等のデータにアクセスする可能性がある周波数であれば，１３．５６ＭＨｚなど，如何なる周波数の場合でもよい。
【００５５】
変復調部３０５は，同調部３０３から供給される信号を復調し，ＩＣ制御ユニット３０７に供給する。また，変復調部３０５は，ＩＣ制御ユニット３０７から送られてくるデータを，アンテナ３０１を介して送出するために変調する。
【００５６】
なお，変復調部３０５は，搬送波とＩＣ制御ユニット３０７から送られてくるデータとを基にして変調する。また，復調の際も変復調部３０５は，同調部３０３から伝送される無線信号のうち搬送波を取り除いたデータに復調する。
【００５７】
ＩＣ制御ユニット３０７は，変復調部３０５から供給される信号として，例えばマンチェスタ符号などをデコードし，その無線信号からデコードされた符号情報を基に解析し，受信した信号に含まれるコマンド等を認識する。
【００５８】
なお，上記コマンドは，ポーリングコマンドや，所定の処理を構成する１又は２以上のコマンド（預金を引き出すための預金引き出しコマンドなど），さらに記憶部１３１又はＩＣ記憶部３１３に記憶されたデータを読み出すためのコマンドや，記憶部１３１又はＩＣ記憶部３１３の記憶領域にデータを書き込むためのコマンド等を例示することができる。
【００５９】
また一方で，ＩＣ制御ユニット３０７は，リーダ／ライタ１０５に無線信号として送信するデータを，例えば，マンチェスタ符号などにエンコードし，変復調部３０５に伝送する。
【００６０】
ここで，変復調部３０５における変調方式としては，例えば，振幅変調（ＡＳＫ（Ａｍｐｌｉｔｕｄｅ  Ｓｈｉｆｔ  Ｋｅｙｉｎｇ））を採用することができる。但し，変復調部３０５における変調方式は，ＡＳＫに限定されるものではなく，ＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）その他を採用することが可能である。また，振幅の変調度についても８％から３０％，５０％，１００％等数値に限定されることはなく，好適なものを選択すれば良い。
【００６１】
ＩＣ制御ユニット３０７は，非接触型ＩＣチップ１３５内をコントロールする回路等を複数備えた回路群である。図１には示されていないが，上記ＩＣ制御ユニット３０７には，ＩＣコントローラと，ＲＯＭ（Ｒｅａｄ  Ｏｎｌｙ  Ｍｅｍｏｒｙ）等の記憶手段とが備わっている。
【００６２】
上記ＩＣコントローラは，上記説明したように，変復調部３０５により復調された無線信号についてデコードを実行し，コマンドを解析する，又は，ＩＣコントローラは，制御部１３３からのデータや非接触型ＩＣチップ１３５内のデータをエンコードし，変復調部３０５に転送するブロックである。
【００６３】
上記アンテナ１０２を介してリーダ／ライタ１０５に転送されるデータには，記憶部１３１に記憶されたデータの他にも，制御部１３３からの命令によりＩＣ記憶部３１３に記憶されたセキュアなデータが転送される場合があるが，上記セキュアなデータが転送される際には，例えば，予め制御部１３３と非接触型ＩＣチップ１３５との間で相互認証等が行われてもよい。
【００６４】
なお，本実施の形態にかかるＩＣコントローラでは，マンチェスタ符号を用いてデコード／エンコード処理する場合を例に挙げて説明したが，かかる例に限定されず，例えば，ＩＣコントローラでは，モディファイドミラーや，ＮＲＺなどの複数種類の符号から１つを選択してデコード／エンコード処理するようにすることが可能である。
【００６５】
なお，本実施の形態にかかる非接触型ＩＣチップ１３５による通信プロトコルは，ＮＦＣ（Ｎｅａｒ  Ｆｉｅｌｄ  Ｃｏｍｍｕｎｉｃａｔｉｏｎ）通信，ＩＳＯ／ＩＥＣ１４４４３や，ＲＦタグ（Ｒａｄｉｏ  Ｆｒｅｑｕｅｎｃｙ  Ｔａｇ）の通信について規定するＩＳＯ／ＩＥＣ１５６９３や，さらには，Ｂｌｕｅｔｏｏｔｈ，ＵＷＢ（Ｕｌｔｒａ  Ｗｉｄｅ  Ｂａｎｄ），ＩＥＥＥ８０２．１１ｂなどの通信プロトコルを例示することができる。
【００６６】
ＩＣ制御部３０７に備わるＲＯＭ，ＥＥＰＲＯＭなどの記憶手段（図示せず。）に，例えば，ＩＣ制御部３０７が処理又は各部を制御する手順が定義されたファームウェア等のプログラムがプリインストールされてもよい。
【００６７】
また，ＩＣ制御部３０７内に上記ファームウェア等がプリインストールされる場合を例に挙げたが，かかる例に限定されず，例えば，ファームウェア等のプログラムが，ＩＣ制御部３０７の処理に応じて適宜ダウンロードされ，起動されてもよい。
【００６８】
また，上記ＩＣ記憶部３１３は，詳細は後述するが，複数の記憶領域を保有し，その記憶領域には，価値情報や，ＩＣ処理情報（第２の処理情報），または履歴情報などが記憶されている。
【００６９】
上記ＩＣ記憶部３１３は，例えば，電気的に記憶／消去することが可能なＥＥＰＲＯＭ等を例示することができるが，データを記憶し，必要に応じて消去可能な記憶手段であれば，かかる例に限定されない。
【００７０】
また，上記携帯通信装置１０１には，自装置１０１内に備わる各部（記憶部１３１，制御部１３３，非接触型ＩＣチップ１３５，表示部１３７，入力部１３９が動作するために必要な電源を供給する電源部（図示せず。）が備わっている。
【００７１】
なお，上記電源部は，非接触型ＩＣチップ１３５に対して電源を供給しない場合でも実施可能である。かかる場合，非接触型ＩＣチップ１３５内に非接触型ＩＣチップ１３５用の電源部（図示せず。）が備わり，その電源部が非接触型ＩＣチップ１３５に備わる各部（アンテナ３０１〜ＩＣ記憶部３１３）に電源を供給しても良い。
【００７２】
次に，図２に示すように，上記携帯通信装置１０１に備わる記憶部１３１には，携帯通信装置１０１が有する機能を実現するために制御部１３１を通じてアプリケーションプログラムの実行や各部の管理を司るオペレーティングシステム（ＯＳ）１９１，所定の処理をＡＴＭ１０６に実行させるためのアプリケーションプログラム（以下，アプリ）１９３，または処理情報（第１の処理情報）１９５など種々のデータが記憶されている。
【００７３】
なお，図２に示すように，記憶部１３１には，アプリ１９３が１種類のみインストールされている場合を例に挙げて説明しているが，かかる例に限定されず，例えば，複数種類のアプリ１９３（１９３−１，１９３−２，…，１９３−ｎ）が記憶部１３１にインストールされる場合でもよい。
【００７４】
さらに，上記アプリ１９３は，記憶部１３１に予めインストールされる場合に限定されず，例えば，必要に応じて適宜，１又は２種以上のアプリ１９３が，ネット上のサーバ又はリーダ／ライタ１０５等からダウンロードされ，実行されてもよい。
【００７５】
制御部１３３は，上記ＯＳ１９１を起動することで，上記ＯＳ１９１による管理のもと上記アプリ１９３を起動して，上記アプリ１９３が有する１又は２以上のプログラム（又は，モジュール）を実行することができる。
【００７６】
また，上記アプリ１９３は，さらに画面表示モジュール２０１と，処理情報設定モジュール（処理情報設定部）２０３と，情報取得モジュール（情報取得部）２０５とを有している。
【００７７】
上記画面表示モジュール２０１は，表示部１３７の画面上に表示するためのデータを生成するプログラムであり，例えば，画面表示モジュール２０１がＡＴＭ１０６からの実行結果をアンテナ３０１を介して取得すると，画面表示モジュール２０１は，実行結果を画面表示用のデータに変換し，表示部１３７に表示する。
【００７８】
上記処理情報設定モジュール２０３は，入力部１３９を介して入力された暗証番号や振込金額等の情報を処理情報又はＩＣ処理情報として設定し，記憶部１３１又はＩＣ記憶部３１３の各記憶手段に格納するプログラムである。
【００７９】
なお，上記ＩＣ処理情報をＩＣ記憶部３１３に記憶する際，例えば，上記制御部１３３とＩＣ制御部３０７が相互認証した後，上記処理情報設定モジュール２０３が設定したＩＣ処理情報が制御部１３３からＩＣ制御部３０７を介してＩＣ記憶部３１３に記憶される場合を例に挙げることができるが，かかる例に限定されず，例えば，非接触型ＩＣチップ１３５内にも処理情報設定モジュール２０３を記憶させて，その処理情報設定モジュール２０３がＩＣ処理情報をＩＣ記憶部３１３に記憶しても良い。
【００８０】
上記処理情報設定モジュール２０３の実行により，ＡＴＭ１０６に対する所定の処理の実行に必要な各種の情報（処理情報，ＩＣ処理情報）を設定し，予め記憶部１３１又はＩＣ記憶部３１３に記憶することができ，事前に所定の処理を登録することができる。
【００８１】
上記情報取得モジュール２０５は，記憶部１３１に記憶された処理情報１９５またはＩＣ記憶部３１３に記憶されたＩＣ処理情報１９６を取得するとともに，所定の処理を構成する１又は２以上のコマンドを生成し，そのコマンドと処理情報１９５又はＩＣ処理情報１９６とを非接触型ＩＣチップ１３５に転送する。
【００８２】
なお，情報取得モジュール２０５は，ＩＣ記憶部３１３に記憶されたＩＣ処理情報１９６を取得する際には，例えば，制御部１３３とＩＣ制御部３０７とが相互認証し，ＩＣ制御部３０７に対しＩＣ記憶部３１３に記憶されたＩＣ処理情報の転送を要求する必要があるが，かかる例に限定されず，例えば，情報取得モジュール２０５は，上記ＩＣ処理情報１９６の取得を，相互認証した後，ＩＣ制御部３０７に取得処理を委譲してもよい。
【００８３】
また，第１の実施の形態にかかる情報取得モジュール２０５は，記憶部１３１にインストールされて，制御部１３３の命令により実行される場合を例に挙げて説明したが，かかる例に限定されず，例えば，記憶部１３１と，ＩＣ制御部３０７内のＲＯＭ等の記憶手段との双方に情報取得モジュール２０５をインストールし，各情報取得モジュール２０５が処理情報とＩＣ処理情報を取得しても実施可能である。
【００８４】
取得された処理情報１９５とＩＣ処理情報には，コマンドが付与され，例えば，制御部１３３又はＩＣ制御部３０７とリーダ／ライタ１０５（又は，ＡＴＭ１０６）とが別々に相互認証した後，アンテナ３０１を介して送信されるが，かかる例に限定されない。
【００８５】
次に，図３に示すように，ＩＣ記憶部３１３には，ＩＣ処理情報（第２の処理情報）１９６と，クーポン情報１９７（１９７−１，１９７−２，…，１９７−ｎ）と，電子マネー残高情報１９８とが記憶されている。
【００８６】
なお，第１の実施の形態にかかるＩＣ記憶部３１３には，少なくともＩＣ処理情報１９６が記憶されていれば実施可能であり，その他のクーポン情報１９７などの情報は格納されていない場合でも実施可能である。
【００８７】
上記クーポン情報１９７は，例えば，販売店ごと，販売商品ごとなどに，複数種類のクーポン情報１９７（１９７−１，１９７−２，…，１９７−ｎ）が存在している。上記クーポン情報１９７がＩＣ記憶部３１３に記憶されていると，例えば，商品を購入する際に，又は，役務の提供を受ける際に販売価格から所定の額だけ値引くことが可能となる。
【００８８】
また，上記クーポン情報１９７には，所定期間内に複数回使用可能なもの，所定期間内に１回限り使用可能なもの，所定額を満たすまで複数回使用可能なものなど，様々なクーポン情報が存在する。
【００８９】
したがって，上記クーポン情報１９７には，使用可能な期間，値引き可能な額（又は，残高），または使用可能な回数などの使用することが可能な条件が定義されている。また，クーポン情報１９７は，改ざんされないよう耐タンパ性を具備するＩＣ記憶部３１３に記憶されている。
【００９０】
（データ構造）
次に，図４を参照しながら，第１の実施の形態にかかる処理情報１９５とＩＣ処理情報１９６について説明する。なお，図４は，第１の実施の形態にかかる処理情報１９５とＩＣ処理情報１９６の概略的なデータ構造を示す説明図である。
【００９１】
図４（ａ）に示すように，処理情報１９５には，各所定の処理ごとに複数の処理情報１９５（１９５−１，１９５−２，…，１９５−ｎ）が含まれている。なお，同種の所定の処理，例えば，振込先が異なる複数件の振込処理等のように，振込処理ごとに複数の処理情報１９５が設定され，記憶部１３１に記憶されるなどの場合でも実施可能である。
【００９２】
上記処理情報１９５について，より具体的には，図４（ａ）に示すように，例えば，処理情報１９５−１は，所定の処理が振込処理の場合に設定される処理情報であり，当該処理情報１９５−１には，例えば，利用者が入力し携帯通信装置１０１に登録した所定の処理を識別する処理ＩＤ６１３−１と，振込人氏名６１５−１と，振込先金融機関及び支店名６１７−１と，電話番号６１９−１と，メールアドレス６２１−１と，振込先に対するメッセージ６２２−１との情報が含まれている。
【００９３】
図４（ｂ）に示すように，ＩＣ処理情報１９６には，各所定の処理ごとに複数のＩＣ処理情報１９６（１９６−１，１９６−２，…，１９６−ｎ）が含まれている。なお，上記処理情報１９５と同様に，同種の所定の処理，例えば，振込先が異なる複数件の振込処理等のように，振込処理ごとに複数のＩＣ処理情報１９６が設定され，ＩＣ記憶部３１３に記憶されるなどの場合でも実施可能である。
【００９４】
上記ＩＣ処理情報１９６について，より具体的には，図４（ｂ）に示すように，例えば，処理情報１９６−１は，所定の処理が振込処理の場合に設定される処理情報であり，当該処理情報１９６−１には，例えば，利用者が入力し携帯通信装置１０１に登録した所定の処理を識別する処理ＩＤ６１３−１と，処理内容６０３−１と，暗証番号６０５−１と，振込元口座番号（通常は利用者自身の口座番号）６０７−１と，振込先口座番号６０９−１と，振込金額６１１−１との情報が含まれている。
【００９５】
なお，所定の処理が預金の引き出し処理の場合，振込元口座番号６０７−１ではなく引き出し元口座番号（通常は利用者自身の口座番号）６０７−２となり，預金処理の場合，振込元口座番号６０７−１ではなく預金先口座番号（通常は利用者自身の口座番号）６０７−３となる。
【００９６】
利用者が振込処理の実行を入力部１３９を操作して指示すると，例えば，図４に示すように，予め格納した処理情報１９５又はＩＣ処理情報１９６のうち，処理ＩＤ６０１及び処理ＩＤ６１３が「００１」で処理内容６０３が振込処理である処理情報１９５−１とＩＣ処理情報１９６−１が取得されて，上記振込処理がＡＴＭ１０６で実行されることになる。
【００９７】
なお，第１の実施の形態にかかる処理情報１９５及びＩＣ処理情報１９６には，図４に示すような情報（処理ＩＤ６０１〜メッセージ６２２）が含まれる場合を例に挙げて説明したが，かかる例に限定されず，如何なる内容の情報が上記処理情報１９５又はＩＣ処理情報１９６に記憶される場合でも実施可能である。しかしながら，上記ＩＣ記憶部３１３の記憶容量が小さいことから，上記ＩＣ処理情報１９６のデータ量が小さくなるようにするのが望ましい。
【００９８】
また，各所定処理ごとにＩＣ処理情報１９６と対応する処理情報１９５が存在しない場合でも実施可能である。例えば，図４に示すＩＣ処理情報１９６−２の場合，引き出し処理であるためＩＣ処理情報１９６−２だけで実行の際に必要な情報が充足するため，処理ＩＤ６０１と同一の処理ＩＤ６１３が作成されず，当該ＩＣ処理情報１９６−２と対応する処理情報１９５が存在しなくてもよい。
【００９９】
（データ通信システム１００における動作について）
次に，図５，図６を参照しながら，第１の実施の形態にかかる所定の処理が実行されるまでの一連の処理について説明する。なお，図５は，第１の実施の形態にかかる所定の処理が実行されるまでの一連の処理の概略を示すシーケンス図であり，図６は，第１の実施の形態にかかる携帯通信装置１０１の表示部１３７の表示画面を概略的に示す説明図である。
【０１００】
図５に示すように，まず，ＡＴＭ１０６と接続するリーダ／ライタ１０５は，アプリ１９３の起動を指示するコマンド（ポーリングコマンド等）を無線で周囲に送出する（Ｓ５０１）。
【０１０１】
携帯通信装置１０１が上記リーダ／ライタ１０５からのコマンドを受信することが可能な通信範囲内に属すると，非接触型ＩＣチップ１３５に備わるアンテナ３０１を介して上記ステップＳ５０１で送出されたコマンドをＩＣ制御部３０７がデコードして，デコードされたコマンドは制御部１３３に転送されると，画面表示モジュール２０１は，図６（ａ）に示す画面７０１を表示部１３７に表示する。
【０１０２】
なお，上記ステップＳ５０１における画面７０１の表示タイミングは，リーダ／ライタ１０５から送信されたアプリ起動指示コマンドを携帯通信装置１０１が受信した後でもよいし，受信する前に利用者が入力部１３９を操作しアプリ１９３を起動することで，画面７０１が表示されてもよい。
【０１０３】
上記画面７０１に表示された複数の所定の処理のうち，利用者が所望とする所定の処理（例えば，（２）家賃振込）が入力部１３９により選択されると，（２）家賃振込みに対応し，予め設定された処理情報１９５が情報取得モジュール２０５により取得され，上記所定の処理（（２）家賃振込）の実行に必要なコマンドとともに，ＩＣ制御部３０７に転送される。また，同様に，予め記憶されたＩＣ処理情報１９６が情報取得モジュール２０５により取得され，上記所定の処理の実行に必要なコマンドとともに，ＩＣ制御部３０７に転送される。なお，上記ＩＣ処理情報１９６とコマンドの取得については，ＩＣ制御部３０７が上記情報取得モジュール２０５を代理して実行しても良い。
【０１０４】
次に，ＩＣ制御部３０７は，上記処理情報１９５とコマンドを有する第１のユニットと，上記ＩＣ処理情報１９６とコマンドを有する第２のユニットを各々エンコードする。次に，エンコードされた双方のユニットは，変復調部３０５，同調部３０３，およびアンテナ３０１を介して，別々にリーダ／ライタ１０５に送信される（Ｓ５０３）。
【０１０５】
なお，上記ステップＳ５０３では，上記処理情報１９５とＩＣ処理情報１９６は，例えば，双方異なる認証鍵で制御部１３３又はＩＣ制御部３０７とリーダ／ライタ１０５（又は，ＡＴＭ１０６）と別々に相互認証した後，例えば，処理情報１９５は暗号化されず，ＩＣ処理情報１９６についてはセッション鍵等で暗号化されて，アンテナ３０１を介してリーダ／ライタ１０５に送信されるなど，お互い異なる通信方式で送信されるが，かかる例に限定されず，上記ＩＣ処理情報１９６と同様に，例えば，上記処理情報１９５についても鍵ビット長が比較的短いセッション鍵で暗号化され送信されてもよい。
【０１０６】
次に，リーダ／ライタ１０５を介してＡＴＭ１０６が上記コマンド，処理情報１９５，ＩＣ処理情報１９６を取得すると，利用者に処理内容の確認をしてもらうため，処理内容が記載された処理内容情報をＡＴＭ１０６がリーダ／ライタ１０５を介して，携帯通信装置１０１に送信する（Ｓ５０５）。
【０１０７】
上記処理内容情報をアンテナ３０１を介してＩＣ制御部３０７が取得すると，そのまま制御部１３３に転送する。制御部１３３が上記処理内容情報を必要に応じてデコードすると，画面表示モジュール２０１が上記処理内容情報を画面表示用のデータに変換し，図６（ｂ）に示す画面７０３のように表示部１３７に表示する。
【０１０８】
次に，図６（ｂ）に示す「ＯＫ」ボタンが入力部１３９により選択されると，上記ステップＳ５０３で送信したコマンドの次に必要なコマンドであって，上記家賃振込処理に構成された処理実行を指示するコマンドを情報取得モジュール２０５が取得し，ＩＣ制御部３０７に転送する。なお，ＩＣ制御部３０７が上記情報取得モジュール２０５を代理してコマンドを取得しても良い。
【０１０９】
ＩＣ制御部３０７は，転送されてきた上記処理実行を指示するコマンドをエンコードする。エンコードされたコマンドは，変復調部３０５，同調部３０３，およびアンテナ３０１を介してリーダ／ライタ１０５に送信される（Ｓ５０７）。
【０１１０】
リーダ／ライタ１０５を介してＡＴＭ１０６が上記ステップＳ５０７で送信した処理実行指示する旨のコマンドを，取得すると，図６（ｂ）に示すように，振込先口座番号が「０１２３４５」である口座に振込額「１０００００円」を振り込む処理を実行開始し，ＡＴＭ１０６は，上記振込処理の実行をホスト（図示せず。）に依頼する。
【０１１１】
上記ホストから上記振込処理が終了した結果をＡＴＭ１０６が受け取ると，当該振込処理の実行が終了し，その終了結果情報をＡＴＭ１０６がリーダ／ライタ１０５を介して携帯通信装置１０１に送信する（Ｓ５０９）。
【０１１２】
上記振込処理の終了結果情報を，アンテナ３０１を介してＩＣ制御部３０７が取得すると，例えば，そのまま制御部１３３に転送する。制御部１３３が上記終了結果情報を必要に応じてデコードすると，画面表示モジュール２０１は上記終了結果情報を画面表示用のデータに変換し，図６（ｃ）に示す画面７０５又は図６（ｄ）に示す画面７０７のように表示部１３７に表示する。なお，画面７０５は，振込処理が正常に終了したことを示す画面であり，画面７０７は，振込元口座の残高が不足していたため振込処理が中断されたことを示す画面である。
【０１１３】
なお，図５，６を参照しながら，家賃振込処理の場合を例に挙げて，第１の実施の形態にかかる所定の処理が実行されるまでの一連の処理について説明したが，かかる例に限定されず，預金の引き出し処理の場合や，預金の預け入れ処理等の場合も，上記と同様に実施することができる。
【０１１４】
一方，上記ステップＳ５０１でアプリ１９３の起動を指示するコマンドが送信されると，携帯通信装置１０１にインストールされたアプリ１９３が起動される場合を例に挙げて説明した。
【０１１５】
ここで，図７を参照しながら，上記ステップＳ５０１で送信されたコマンドを携帯通信装置１０１が受け取った時点で，上記アプリ１９３がインストールされていない場合について説明する。なお，図７は，第１の実施の形態にかかるアプリ１９３を取得する一連の動作について示すシーケンス図である。
【０１１６】
まず，図５に示す上記ステップＳ５０１で送信されたコマンドがアンテナ３０１を介してＩＣ制御部３０７により取得され，制御部１３３に転送されると，制御部１３３はＯＳ１９１を介してアプリ１９３に起動命令する。
【０１１７】
しかし，制御部１３３は，ＯＳ１９１からアプリ１９３がインストールされていないため起動エラーを受け取ると，図７に示すように，情報取得モジュール２０５又は制御部１３３がアプリ１９３を取得するためのコマンドを生成し，アンテナ３０１を介してリーダ／ライタ１０５に送信する（Ｓ７０１）。
【０１１８】
次に，リーダ／ライタ１０５を介してＡＴＭ１０６が上記アプリ１９３の取得コマンドを受け取ると，ＡＴＭ１０６は，自装置内に又はホストに記憶されたアプリ１９３を上記リーダ／ライタ１０５を介して携帯通信装置１０１に送信する（Ｓ７０３）。
【０１１９】
なお，上記のように，アプリ１９３がＡＴＭ１０６から携帯通信装置１０１に直接送信される場合に限定されず，例えば，ＡＴＭ１０６は，ＡＴＭ１０６自装置内に又はホストに記憶されたアプリ１９３の格納場所を示す情報（ロケーション情報）を，上記リーダ／ライタ１０５を介して携帯通信装置１０１に送信し，制御部１３３は，上記ロケーション情報を取得すると，Ｗｅｂブラウザ機能等を有する別のアプリ１９３を起動させて，アンテナ１０２を介してネット上のサーバにアクセスし（Ｓ７０５），上記別のアプリ１９３は上記サーバから目的のアプリ１９３をダウンロードし，取得しても良い（Ｓ７０７）。なお，上記アプリ１９３の格納場所を示すロケーション情報は，例えば，ＵＲＬ等を例に挙げることができる。
【０１２０】
制御部１３３は，アプリ１９３を取得すると（Ｓ７０３又はＳ７０７），記憶部１３１にインストールし，アプリ１９３を起動させて，まず所定の処理の実行に必要な処理情報（処理情報１９５，ＩＣ処理情報１９６）を設定するために処理情報設定モジュール２０３を実行させる。以降は，図６に示すように，上記説明した動作とほぼ同一であるため，詳細な説明は省略する。
【０１２１】
以上で，第１の実施の形態にかかる所定の処理が実行されるまでの一連の動作について説明した。
【０１２２】
上記説明の通り，第１の実施の形態にかかる携帯通信装置１０１では，記憶部１３１とＩＣ記憶部３１３の２つの記憶手段が備わっている。上記記憶部１３１は，耐タンパ性を具備していないが，ＩＣ記憶部３１３よりもコスト的に低廉であり，記憶容量は潤沢である。したがって，記憶手段がＩＣ記憶部３１３単体の場合よりも，処理情報に設定可能な情報量（例えば，メールアドレス６２１やメッセージ６２２など）を大幅に増やして割当てることが可能であり，さらに記憶手段に登録可能な件数も大幅に増やすことができる。
【０１２３】
また，上記データ通信システム１００では，所定の処理の実行が行われるまでに，ＡＴＭ１０６と携帯通信装置１０６との間では複数回のトランザクションが存在する。より具体的には，例えば，ＡＴＭ１０６から一旦処理内容の確認をするための情報が携帯通信装置１０１に送信される（Ｓ５０５）。かかる処理内容の確認する情報が送信されることで（Ｓ５０５），利用者は再度処理内容を確認することができ不正確な内容であれば，処理情報を修正することができるため，携帯通信装置１０１は所定の処理の実行を，より一層円滑に，ユーザフレンドリーに，進めることができる。なお，上記処理内容を確認する情報は，ＩＣ制御部３０７よりも処理能力が高い制御部１３３でデコードされ表示部１３７に表示されるが，かかる例に限定されない。したがって，上記データ通信システム１００では，ＡＴＭ１０６など外部の通信装置が所定の処理を実行するために必要なコマンドと，処理情報（処理情報１９５，ＩＣ処理情報１９６）とがリーダ／ライタに送信された後，外部の通信装置側で一方的に上記所定の処理を実行してしまうことはない。
【０１２４】
従来では，携帯電話からＡＴＭに対して処理を実行させるために必要な処理情報が，例えば，１トランザクションでまとめて転送されるため，その転送された処理情報のうち一部の情報に誤りが存在した場合，その誤った部分だけの処理情報の再送をＡＴＭから携帯電話に対して求めるなどの柔軟な対応が困難であった。本実施の形態では，処理情報１９５とＩＣ処理情報１９６と２つに分けて記憶し，ＡＴＭ１０６に転送しているため，処理情報１９５だけの再送を求めるなど，柔軟な対応が可能であり，また，不必要にセキュアなＩＣ処理情報１９６が再送されてしまう危険性を防げる。
【０１２５】
次に，図８を参照しながら，第２の実施の形態にかかるデータ通信システム１００ａについて説明する。図８は，第２の実施の形態にかかるデータ通信システム及び携帯通信装置の概略の一例を示す説明図である。
【０１２６】
なお，以下に記載する第２の実施の形態に係るデータ通信システム１００ａの説明では，第２の実施の形態にかかるデータ通信システム１００ａと，第１の実施の形態にかかるデータ通信システム１００とを比較し，特に相違する点について説明する。その他については，特段の記載が無い場合，実質的に同一であるため詳細な説明は省略する。
【０１２７】
図８に示すように，第２の実施の形態にかかるデータ通信システム１００ａは，上記説明の第１の実施の形態にかかるデータ通信システム１００と比べて，リーダ／ライタ１０５ａはＰＯＳ（Ｐｏｉｎｔ  Ｏｆ  Ｓａｌｓｅ）システム（又は，ＰＯＳ端末）１０７と接続している点で異なる。
【０１２８】
上記ＰＯＳシステム１０７は，例えば，レジとともに店舗内に設けられ，商品の販売価格を画面に表示し，お客様から代金を貰うことで，商品を決済するための決済システムであるが，かかる例に限定されない。
【０１２９】
なお，図８に示すように，第２の実施の形態にかかるデータ通信システム１００には，携帯通信装置１０１，リーダ／ライタ１０５，およびＰＯＳシステム１０７が各１台ずつ備わる場合を例に挙げて説明するが，かかる例に限定されず，例えば，データ通信システム１００には，複数台の携帯通信装置１０１（１０１ａ，１０１ｂ，…１０１ｎ），複数台のリーダ／ライタ１０５ａ（１０５ａ−１，１０５ａ−２，…１０５ａ−３），およびＰＯＳシステム１０７（１０７ａ，１０７ｂ，…１０７ｎ）が備わる場合でも実施可能である。
【０１３０】
図１に示すデータ通信システム１００ａは，事前に携帯通信装置１０１に利用者が設定し記憶させておいた処理情報等を基にして，ＰＯＳシステム１０７が商品を注文し決済する等の所定の処理を実行するシステムである。
【０１３１】
第２の実施の形態にかかる所定の処理には，例えば，飲食店であればメニューの注文及び決済処理，物販店であればグッズなどの注文及び決済処理等を例に挙げることができるが，ＰＯＳシステム１０７が実行可能な処理であれば，かかる例に限定されず，如何なる処理でも実行可能である。
【０１３２】
上記ＰＯＳシステム１０７には，例えば，制御部と，販売価格を表示するディスプレイ等の表示部と，バーコードスキャナや入力ボタン等の入力部と，ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリと，通信網を介してホストにアクセスする通信部とが備わっている。
【０１３３】
なお，図８に示すように，第２の実施の形態にかかるリーダ／ライタ１０５ａは，例えば，ＰＯＳシステム１０７にケーブルで外部接続された場合を例に挙げて説明するが，かかる例に限定されず，例えば，リーダ／ライタ１０５ａは，ＡＴＭ１０６の機器内に内蔵される場合などでもよい。
【０１３４】
（データ構造）
次に，図９を参照しながら，第２の実施の形態にかかる処理情報１９５ａとＩＣ処理情報１９６ａについて説明する。なお，図９は，第２の実施の形態にかかる処理情報１９５ａとＩＣ処理情報１９６ａの概略的なデータ構造を示す説明図である。
【０１３５】
図９（ａ）に示すように，処理情報１９５ａには，各所定の処理ごとに複数の処理情報１９５ａ（１９５ａ−１，１９５ａ−２，１９５ａ−３，…）が含まれている。なお，同種の所定の処理，例えば，購入する商品又は役務が異なる複数件の注文及び決済処理等のように，注文及び決済処理ごとに複数の処理情報１９５が設定され，記憶部１３１に記憶されるなどの場合でも実施可能である。
【０１３６】
上記処理情報１９５ａについて，より具体的には，図９（ａ）に示すように，例えば，処理情報１９５ａ−１は，所定の処理がＡ社で商品を注文及び決済する処理の場合に設定される処理情報であり，当該所定の処理は「Ａ社お気に入り１」として既に登録されている。
【０１３７】
上記処理情報１９５ａ−１には，例えば，注文及び決済する処理内容のタイトルを示す処理内容６２３−１と，商品等の注文内容を示す注文６２５（６２５ａ−１，６２５ｂ−１）との情報が含まれている。なお，上記注文６２５は，１又は２以上の注文６２５から構成されることが可能である。
【０１３８】
図９（ｂ）に示すように，ＩＣ処理情報１９６ａには，各所定の処理と対応する注文番号が注文番号テーブル６３１として格納されている。上記注文番号は，例えば，各処理ごとにユニークであり，当該注文番号を基にしてクーポン情報の適用可否などが判断される。
【０１３９】
利用者が，「お気に入り１」に該当する注文及び決済処理の実行を入力部１３９を操作して指示すると，例えば，図９に示すように，予め格納した処理情報１９５ａ−１と，「お気に入り１」に対応する注文番号「００１」とが取得されて，上記注文及び決済処理処理がＰＯＳシステム１０７で実行されることになる。
【０１４０】
なお，第２の実施の形態にかかる処理情報１９５ａ及びＩＣ処理情報１９６ａには，図９に示すような情報（処理内容６２３〜注文番号テーブル６３１）が含まれる場合を例に挙げて説明したが，かかる例に限定されず，如何なる内容の情報が上記処理情報１９５ａ又はＩＣ処理情報１９６ａに記憶される場合でも実施可能である。しかしながら，上記ＩＣ記憶部３１３の記憶容量が小さいことから，上記ＩＣ処理情報１９６ａのデータ量が小さくなるようにするのが望ましい。
【０１４１】
（データ通信システム１００ａにおける動作について）
次に，図１０，図１１を参照しながら，第２の実施の形態にかかる所定の処理が実行されるまでの一連の処理について説明する。なお，図１０は，第２の実施の形態にかかる所定の処理が実行されるまでの一連の処理の概略を示すシーケンス図であり，図１１は，第２の実施の形態にかかる携帯通信装置１０１の表示部１３７の表示画面を概略的に示す説明図である。
【０１４２】
図１０に示すように，まず，ＰＯＳシステム１０７と接続するリーダ／ライタ１０５ａは，アプリ１９３の起動を指示するコマンド（ポーリングコマンド等）を無線で周囲に送出する（Ｓ９０１）。
【０１４３】
携帯通信装置１０１が上記リーダ／ライタ１０５ａからのコマンドを受信することが可能な通信範囲内に属すると，非接触型ＩＣチップ１３５に備わるアンテナ３０１を介して上記ステップＳ９０１で送出されたコマンドをＩＣ制御部３０７がデコードして，デコードされたコマンドは制御部１３３に転送されると，画面表示モジュール２０１は，図１１（ａ）に示す画面７０９を表示部１３７に表示する。
【０１４４】
なお，上記ステップＳ９０１における画面７０９の表示タイミングは，リーダ／ライタ１０５ａから送信されたアプリ起動指示コマンドを携帯通信装置１０１が受信した後でもよいし，受信する前に利用者が入力部１３９を操作しアプリ１９３を起動することで，画面７０９が表示されてもよい。
【０１４５】
上記画面７０９に表示された複数の所定の処理のうち，利用者が所望とする注文及び決済処理（例えば，（１）幸せセット）が入力部１３９により選択されると，上記（１）幸せセットの処理に対応し，予め設定された処理情報１９５ａが情報取得モジュール２０５により取得され，上記「幸せセット」注文及び決済処理の実行に必要なコマンドとともに，ＩＣ制御部３０７に転送される。また，同様に，予め記憶されたＩＣ処理情報１９６ａ（注文番号「０１１」）が情報取得モジュール２０５により取得され，上記「幸せセット」注文及び決済処理の実行に必要なコマンドとともに，ＩＣ制御部３０７に転送される。なお，上記ＩＣ処理情報１９６とコマンドの取得については，ＩＣ制御部３０７が上記情報取得モジュール２０５を代理して実行しても良い。
【０１４６】
次に，ＩＣ制御部３０７は，上記処理情報１９５ａと上記コマンドを有する第１のユニットと，上記ＩＣ処理情報１９６ａと上記コマンドを有する第２のユニットを各々エンコードする。次に，エンコードされた双方のユニットは，変復調部３０５，同調部３０３，およびアンテナ３０１を介して，別々にリーダ／ライタ１０５ａに送信される（Ｓ９０３）。
【０１４７】
なお，上記ステップＳ９０３では，上記処理情報１９５ａとＩＣ処理情報１９６ａは，例えば，双方異なる認証鍵で制御部１３３又はＩＣ制御部３０７とリーダ／ライタ１０５ａ（又は，ＰＯＳシステム１０７）と別々に相互認証した後，アンテナ３０１を介してリーダ／ライタ１０５ａにお互い異なる通信方式で送信されるが，かかる例に限定されない。
【０１４８】
次に，リーダ／ライタ１０５ａを介してＰＯＳシステム１０７が上記コマンド，処理情報１９５ａ，ＩＣ処理情報１９６ａを取得すると，利用者に処理内容の確認をしてもらうため，処理内容が記載された処理内容情報をＰＯＳシステム１０７がリーダ／ライタ１０５ａを介して，携帯通信装置１０１に送信する（Ｓ９０５）。
【０１４９】
上記処理内容情報をアンテナ３０１を介してＩＣ制御部３０７が取得すると，そのまま制御部１３３に転送する。制御部１３３が上記処理内容情報を必要に応じてデコードすると，画面表示モジュール２０１が上記処理内容情報を画面表示用のデータに変換し，図１１（ｂ）に示す画面７１１のように表示部１３７に表示する。
【０１５０】
次に，図１１（ｂ）に示す「ＯＫ」ボタンが入力部１３９により選択されると，上記ステップＳ９０３で送信したコマンドの次に必要なコマンドであって，上記「幸せセット」注文及び決済処理に構成された処理実行を指示するコマンドを情報取得モジュール２０５が取得し，ＩＣ制御部３０７に転送する。なお，ＩＣ制御部３０７が上記情報取得モジュール２０５を代理してコマンドを取得しても良い。
【０１５１】
ＩＣ制御部３０７は，転送されてきた上記処理実行を指示するコマンドをエンコードする。エンコードされたコマンドは，変復調部３０５，同調部３０３，およびアンテナ３０１を介してリーダ／ライタ１０５ａに送信される（Ｓ９０７）。
【０１５２】
リーダ／ライタ１０５ａを介してＰＯＳシステム１０７が上記ステップＳ９０７で送信した処理実行指示する旨のコマンドを，取得すると，ＰＯＳシステム１０７は，ＩＣ処理情報１９６ａに含まれる注文番号を取り出し，その注文番号を基にクーポン情報を適用可能か否かを確認する。
【０１５３】
上記「幸せセット」注文及び決済処理に対してクーポン情報を適用することが可能な場合，ＰＯＳシステム１０７は，リーダ／ライタ１０５ａを介して，ＩＣ記憶部３１３に格納されたクーポン情報を要求するコマンドを携帯通信装置１０１に送信する（Ｓ９０９）。なお，上記注文及び決済処理がクーポン適用可能な処理でないと判断された場合，ステップＳ９０９〜ステップ９１３は実行されない。
【０１５４】
次に，アンテナ３０１を介して上記ステップＳ９０９で受信されたクーポン情報要求コマンドは，ＩＣ制御部３０７によりデコードされ，そのデコードされたコマンドはＩＣ制御部３０７により実行されて，上記「幸せセット」注文及び決済処理に適用可能なクーポン情報がＩＣ記憶部３１３から取得されて，アンテナ３０１を介してクーポン情報がリーダ／ライタ１０５ａに転送される（Ｓ９１１）。なお，上記適用可能なクーポン情報が存在しない場合，クーポン情報が存在しない旨の情報がリーダ／ライタ１０５ａに送信される。
【０１５５】
次に，リーダ／ライタ１０５ａを介してＰＯＳシステム１０７が上記コマンド，処理情報１９５ａ，ＩＣ処理情報１９６ａを取得すると，利用者にクーポン情報を使用するか否かを確認をしてもらうため，使用可能なクーポン情報の内容が記載されたクーポン内容情報をＰＯＳシステム１０７がリーダ／ライタ１０５ａを介して，携帯通信装置１０１に送信する（Ｓ９１３）。
【０１５６】
上記クーポン内容情報をアンテナ３０１を介してＩＣ制御部３０７が取得すると，そのまま制御部１３３に転送する。制御部１３３が上記クーポン内容情報を必要に応じてデコードすると，画面表示モジュール２０１が上記クーポン内容情報を画面表示用のデータに変換し，図１１（ｃ）に示す画面７１３のように表示部１３７に表示する。
【０１５７】
次に，図１１（ｃ）に示す「使う」ボタンが入力部１３９により選択されると，上記ステップＳ９０７で送信した処理実行を指示するコマンドの次に必要なコマンドであって，上記「幸せセット」注文及び決済処理に構成された決済処理実行を指示するコマンドを情報取得モジュール２０５が取得し，ＩＣ制御部３０７に転送する。なお，ＩＣ制御部３０７が上記情報取得モジュール２０５を代理してコマンドを取得しても良い。
【０１５８】
ＩＣ制御部３０７は，転送されてきた上記決済処理実行を指示するコマンドをエンコードする。エンコードされた決済処理実行コマンドは，変復調部３０５，同調部３０３，およびアンテナ３０１を介してリーダ／ライタ１０５ａに送信される（Ｓ９１５）。
【０１５９】
次に，図９（ａ）に示すように，注文６２５ａ−４「ハンバーガー，１個」，注文６２５ｂ−４「ポテトＭ（Ｍサイズのポテト），１個」，および注文６２５ｃ−４「コーラＭ（Ｍサイズのコーラ）の決算処理について，クーポン情報（図１１（ｃ）に示す１００円値引き）を適用した販売価格をＩＣ処理情報３１３に格納された電子マネーから引き落とすためのコマンドをＰＯＳシステム１０７が生成して，そのコマンドをリーダ／ライタ１０５ａを介して携帯通信装置１０１に送信する（Ｓ９１７）。なお，クーポン情報の適用がない場合，販売価格は何ら値引きされずに決済処理が実行される（Ｓ９１７）。
【０１６０】
次に，アンテナ３０１を介して上記ステップＳ９１７で送信した引落しコマンドは，ＩＣ制御部３０７によりデコードされ，そのデコードされた引落しコマンドはＩＣ制御部３０７により実行されて，上記ＩＣ記憶部３１３に格納された電子マネーから販売価格の分だけ電子マネーを減算する。引落した結果はアンテナ３０１から送信される（Ｓ９１９）。
【０１６１】
上記引落し結果をＰＯＳシステム１０７が受け取ると，上記「幸せセット」注文及び決済処理の実行が終了し，その終了結果情報をＰＯＳシステム１０７がリーダ／ライタ１０５ａを介して携帯通信装置１０１に送信する（Ｓ９２１）。
【０１６２】
上記注文及び決済処理の終了結果情報を，アンテナ３０１を介してＩＣ制御部３０７が取得すると，例えば，そのまま制御部１３３に転送する。制御部１３３が上記終了結果情報を必要に応じてデコードすると，画面表示モジュール２０１は上記終了結果情報を画面表示用のデータに変換し，図１１（ｄ）に示す画面７１５のように表示部１３７に表示する。なお，画面７１５は，上記「幸せセット」注文及び決済処理が正常に終了したことを示す画面であるが，上記ステップＳ９１９で電子マネーの残高不足のため決済処理不能となった場合，画面７１５の代わりに，電子マネーの残高が不足していたため注文及び決済処理が中断されたことを示す画面が表示部１３７に表示される。
【０１６３】
なお，図１０，１１を参照しながら，「幸せセット」注文及び決済処理の場合を例に挙げて，第２の実施の形態にかかる所定の処理が実行されるまでの一連の処理について説明したが，かかる例に限定されず，その他の「お気に入り１」や「お得なセット」などの注文及び決済処理等の場合も，上記と同様に実施することができる。
【０１６４】
以上で，第２の実施の形態にかかる所定の処理が実行されるまでの一連の動作について説明したが，かかるデータ通信システム１００ａにより，金融機関以外の店舗等でも予め処理情報を登録しておけば，所定の処理を多様な場面で円滑に実行することができる。
【０１６５】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等の情報処理装置にインストールされ，上記情報処理装置を携帯通信装置１０１として機能させる。
【０１６６】
プログラムは，コンピュータに内蔵されている記録媒体としてのハードディスクやＲＯＭなどに予め記録しておくことができる。
【０１６７】
あるいはまた，プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。このようなリムーバブル記録媒体は，いわゆるパッケージソフトウエアとして提供することができる。
【０１６８】
なお，プログラムは，上述したようなリムーバブル記録媒体からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送し，コンピュータでは，そのようにして転送されてくるプログラムを受信し，内蔵する記憶部１３１等にインストールすることができる。
【０１６９】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。
【０１７０】
また，プログラムは，１のコンピュータにより処理されるものであっても良いし，複数のコンピュータによって分散処理されるものであっても良い。
【０１７１】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１７２】
上記実施形態においては，処理情報１９５又はＩＣ処理情報１９６は，所定の処理が実行される前に予め設定されて記憶される場合を例にあげて説明したが，本発明はかかる例に限定されない。例えば，予め処理情報が設定され記憶されてなくとも，リーダ／ライタ１０５からアプリ１９３の起動指示があった後，さらにリーダ／ライタ１０５から処理情報を設定するように携帯通信装置１０１に指示があると，処理情報設定モジュール２０３が処理情報１９５又はＩＣ処理情報１９６を設定しながら，所定の処理が順序通りに徐々に進められ，かかる所定の処理が実行される。
【０１７３】
上記実施形態においては，携帯通信装置１０１に備わるＯＳ１９１，画面表示モジュール２０１，処理情報設定モジュール２０３，および情報取得モジュール２０５の各部はプログラムである場合を例に挙げて説明したが，本発明はかかる例に限定されない。例えば，ＯＳ１９１，画面表示モジュール２０１，処理情報設定モジュール２０３，または情報取得モジュール２０５のうち少なくとも一つがハードウェアからなる場合であってもよい。
【図面の簡単な説明】
【０１７４】
【図１】第１の実施の形態にかかるデータ通信システム及び携帯通信装置の概略の一例を示す説明図である。
【図２】第１の実施の形態にかかる記憶部の概略的な構成を示すブロック図である。
【図３】第１の実施の形態にかかるＩＣ記憶部の概略的な構成を示すブロック図である。
【図４】第１の実施の形態にかかる処理情報とＩＣ処理情報の概略的なデータ構造を示す説明図である。
【図５】第１の実施の形態にかかる所定の処理が実行されるまでの一連の処理の概略を示すシーケンス図である。
【図６】第１の実施の形態にかかる携帯通信装置の表示部の表示画面を概略的に示す説明図である。
【図７】第１の実施の形態にかかるアプリケーションプログラムを取得する一連の動作について示すシーケンス図である。
【図８】第２の実施の形態にかかるデータ通信システム及び携帯通信装置の概略の一例を示す説明図である。
【図９】第２の実施の形態にかかる処理情報とＩＣ処理情報の概略的なデータ構造を示す説明図である。
【図１０】第２の実施の形態にかかる所定の処理が実行されるまでの一連の処理の概略を示すシーケンス図である。
【図１１】第２の実施の形態にかかる携帯通信装置の表示部の表示画面を概略的に示す説明図である。
【符号の説明】
【０１７５】
１００      データ通信システム
１０１      携帯通信装置
１３１      記憶部
１３３      制御部
１３５      非接触型ＩＣチップ
１３７      表示部
１３９      入力部
１９１      オペレーティングシステム
１９３      アプリケーションプログラム
１９５      処理情報
１９６      ＩＣ処理情報
２０１      画面表示モジュール
２０３      処理情報設定モジュール
２０５      情報取得モジュール
３０１      アンテナ
３０７      ＩＣ処理部
３１３      ＩＣ記憶部
【図１】
2007135054.tif 000003
【図２】
2007135054.tif 000004
【図３】
2007135054.tif 000005
【図４】
2007135054.tif 000006
【図５】
2007135054.tif 000007
【図６】
2007135054.tif 000008
【図７】
2007135054.tif 000009
【図８】
2007135054.tif 000010
【図９】
2007135054.tif 000011
【図１０】
2007135054.tif 000012
【図１１】
2007135054.tif 000013